(57)【要約】【課題】  ＳＡＷフィルタの素子間のアイソレーションがとれ、他のフィルタに影響を与えない耐電力用ＳＡＷフィルタ装置を提供する。【解決手段】  複数のＳＡＷフィルタ２１〜２Ｎの入力側では１０ｌｏｇ（１／Ｎ）ｄＢカプラ１Ｎ、１０ｌｏｇ（１／（Ｎ−１））ｄＢカプラ１（Ｎ−１）、...、−４．７ｄＢ（１０ｌｏｇ（１／３）ｄＢ）カプラ１３、−３ｄＢ（１０ｌｏｇ（１／２）ｄＢ）カプラ１２を縦列接続して各ＳＡＷフィルタ２１〜２Ｎに分配出力し、複数のＳＡＷフィルタ２１〜２Ｎの出力側では−３ｄＢカプラ３２、−４．７ｄＢカプラ３３、...、１０ｌｏｇ（１／（Ｎ−１））ｄＢカプラ３（Ｎ−１）、１０ｌｏｇ（１／Ｎ）ｄＢカプラ３Ｎを縦列接続して各ＳＡＷフィルタ２１〜２Ｎからの出力を合成して出力する耐電力用ＳＡＷフィルタ装置である。【選択図】        図２
2013165347.tif 000002
【特許請求の範囲】
【請求項１】
複数のＳＡＷフィルタを備える耐電力用ＳＡＷフィルタ装置であって、
前記複数のＳＡＷフィルタの入力側で、１０ｌｏｇ（１／Ｎ）ｄＢカプラ、１０ｌｏｇ（１／（Ｎ−１））ｄＢカプラ〜１０ｌｏｇ（１／３）ｄＢカプラ、１０ｌｏｇ（１／２）ｄＢカプラを順に縦列接続して、前記各カプラから対応する前記ＳＡＷフィルタに分配出力し、
前記複数のＳＡＷフィルタの出力側で、１０ｌｏｇ（１／２）ｄＢカプラ、１０ｌｏｇ（１／３）ｄＢカプラ〜１０ｌｏｇ（１／（Ｎ−１））ｄＢカプラ、１０ｌｏｇ（１／Ｎ）ｄＢカプラを順に縦列接続して、前記各ＳＡＷフィルタからの出力を対応する前記縦列接続したカプラで合成出力することを特徴とする耐電力用ＳＡＷフィルタ装置。
【請求項２】
入力側の縦列接続のカプラは、第１の端子に信号を入力し、第２の端子が対応するＳＡＷフィルタの入力端子に接続し、第３の端子が次段のカプラ若しくは最終段のＳＡＷフィルタの入力端子に接続することを特徴とする請求項１記載の耐電力用ＳＡＷフィルタ装置。
【請求項３】
出力側の縦列接続のカプラは、第１の端子が第１段のＳＡＷフィルタ若しくは前段のカプラの出力端子接続し、第２の端子が対応するＳＡＷフィルタの出力端子に接続し、第３の端子が次段のカプラの入力端子若しくは最終の出力端子に接続することを特徴とする請求項１記載の耐電力用ＳＡＷフィルタ装置。
【請求項４】
入力側の縦列接続のカプラ及び出力側の縦列接続のカプラは、第４の端子が抵抗に接続されていることを特徴とする請求項１乃至３のいずれか記載の耐電力用ＳＡＷフィルタ装置。
【請求項５】
複数のＳＡＷフィルタが同一の特性を有することを特徴とする請求項１乃至４のいずれか記載の耐電力用ＳＡＷフィルタ装置。
【発明の詳細な説明】
【技術分野】
【０００１】
本発明は、複数のＳＡＷ（Surface acoustic wave：弾性表面波）フィルタから成る耐電力用ＳＡＷフィルタ装置に係り、特に、各々のＳＡＷフィルタが他のＳＡＷフィルタからの影響を受けない安定した耐電力用ＳＡＷフィルタに関する。
【背景技術】
【０００２】
［従来の技術］
従来のＳＡＷフィルタの耐電力性は、単結晶膜や高配向膜を使用することにより、１Ｗ（３０ｄＢｍ）程度の耐電力性能を有するものである。
しかしながら、移動体通信用の基地局や固定局では、数Ｗ〜数十Ｗの出力が必要であり、現状のＳＡＷフィルタ単体を使用して実現するのが難しい。
そこで、複数のＳＡＷフィルタを用いて耐電力用のＳＡＷフィルタ装置を実現している。
【０００３】
［従来のＳＡＷフィルタ装置：図３］
従来のＳＡＷフィルタ装置について図３を参照しながら説明する。図３は、従来のＳＡＷフィルタ装置の概略図である。
従来のＳＡＷフィルタ装置は、図３に示すように、Ｎ分配器１０と、ＳＡＷフィルタ２１と、ＳＡＷフィルタ２２と、...、ＳＡＷフィルタ２Ｎと、Ｎ合成器３０とから構成されている。
【０００４】
従来のＳＡＷフィルタ装置は、図３に示すように、Ｚ0 ／ＮΩにて設計したＮ個のＳＡＷフィルタを用い、入力信号をＮ分配するＮ分配器１０と、Ｎ個のＳＡＷフィルタからの出力をＮ合成するＮ合成器３０とを備えている。
【０００５】
Ｎ分配器１０の入力インピーダンスをＺ0 Ωとすると、Ｎ分配された後は各々Ｎ0 ／ＮΩとし、Ｎ合成器３０の出力インピーダンスをＺ0 Ωとなるよう設計されている。
Ｎ個のＳＡＷフィルタを用いることにより、Ｎ倍の耐電力性能を持つＳＡＷフィルタ装置を実現できる。
【０００６】
［従来の具体的なＳＡＷフィルタ装置１：図４］
ここで、従来の具体的なＳＡＷフィルタ装置について図４を参照しながら説明する。図４は、従来の具体的なＳＡＷフィルタ装置１の概略図である。
従来の具体的なＳＡＷフィルタ装置１は、図４に示すように、２分配器１０′と、λ／４インピーダンス変換器４１〜４４と、ＳＡＷフィルタ２１，２２と、２合成器３０′とから構成されている。
【０００７】
２分配器１０′は、入力インピーダンス５０Ωであり、入力信号を２分配する。２分配された出力インピーダンスは各々２５Ωとする。
λ／４インピーダンス変換器４１，４２は、入力インピーダンス２５Ωを出力インピーダンス５０Ωにインピーダンス変換を行う。
【０００８】
ＳＡＷフィルタ２１，２２は、各々入力インピーダンスが５０Ω、出力インピーダンスが５０Ωの５０Ω対応のＳＡＷフィルタである。
λ／４インピーダンス変換器４３，４４は、入力インピーダンス５０Ωを出力インピーダンス２５Ωにインピーダンス変換を行う。
２合成器３０′は、２入力の信号を合成するものであり、各入力インピーダンスは２５Ωとし、出力インピーダンスは５０Ωとしている。
【０００９】
しかしながら、図４に示したように、合成器と分配器、ＳＡＷフィルタを５０Ωで設計した場合、λ／４インピーダンス変換器をＳＡＷフィルタの入出力段に設ける必要があるため、回路規模が大きくなっていた。
【００１０】
［従来の具体的なＳＡＷフィルタ装置２：図５］
そこで、図４のＳＡＷフィルタ装置１に対して回路規模を小さくするために、入出力インピーダンス２５ΩのＳＡＷフィルタを２つ用いてＳＡＷフィルタ装置を構成したものがある。図５は、従来の具体的なＳＡＷフィルタ装置２の概略図である。
従来の具体的なＳＡＷフィルタ装置２は、図５に示すように、２分配器１０′と、ＳＡＷフィルタ２１′，２２′と、２合成器３０′とから構成されている。
【００１１】
２分配器１０′は、入力インピーダンス５０Ωであり、入力信号を２分配する。２分配された出力インピーダンスは各々２５Ωとする。
出力インピーダンスを２５Ωにするということは、２５Ωのインピーダンスの線につなぐようにすればよい。
【００１２】
ＳＡＷフィルタ２１′，２２′は、各々入力インピーダンスが２５Ω、出力インピーダンスが２５Ωの２５Ω対応のＳＡＷフィルタである。
２合成器３０′は、２入力の信号を合成するものであり、各入力インピーダンスは２５Ωとし、出力インピーダンスは５０Ωとしている。
【００１３】
［関連技術］
尚、関連する先行技術として、特開２０００−１５１３５０号公報「弾性表面波デバイス」（東洋通信機株式会社）［特許文献１］、特開２００３−１２４７７７号公報「弾性表面波装置」（株式会社村田製作所）［特許文献２］がある。
【００１４】
特許文献１には、複数の二重モードＳＡＷフィルタをパッケージに収容するに当たり、それぞれのフィルタの出力パッドとパッケージの出力用端子を最短でボンディングする際に、出力端子と入力端子とが互いにパッケージの反対側になると共に、出力用ボンディングワイヤが他の接地用ボンディングワイヤと交差しないようにフィルタを縦続接続したことが示されている。
【００１５】
特許文献２には、第１のくし型電極の基準端子側の電極と、第２のくし型電極の基準端子側の電極とを圧電基板上にて接続する配線パターンを設け、第３のくし型電極の基準端子側の電極と、第４のくし型電極の基準端子側の電極とを圧電基板上にて電気的に接続する配線パターンを設けることが示されている。
【先行技術文献】
【特許文献】
【００１６】
【特許文献１】特開２０００−１５１３５０号公報
【特許文献２】特開２００３−１２４７７７号公報
【発明の概要】
【発明が解決しようとする課題】
【００１７】
しかしながら、従来の耐電力用ＳＡＷフィルタ装置で回路規模を小さくするために、図３に示したように、Ｚ0 ／ＮΩにて設計したＮ個のＳＡＷフィルタにより、Ｎ倍の耐電力性能を持つＳＡＷフィルタ装置を実現できるものの、それぞれのＳＡＷフィルタの素子間のアイソレーションがとれていないため、接続長によっては、不整合により一つのＳＡＷフィルタが壊れると、連鎖的に他のＳＡＷフィルタが壊れる可能性があるという問題点があった。
【００１８】
本発明は上記実情に鑑みて為されたもので、ＳＡＷフィルタの素子間のアイソレーションがとれ、他のフィルタに影響を与えない耐電力用ＳＡＷフィルタ装置を提供することを目的とする。
【課題を解決するための手段】
【００１９】
上記従来例の問題点を解決するための本発明は、複数のＳＡＷフィルタを備える耐電力用ＳＡＷフィルタ装置であって、複数のＳＡＷフィルタの入力側で、１０ｌｏｇ（１／Ｎ）ｄＢカプラ、１０ｌｏｇ（１／（Ｎ−１））ｄＢカプラ〜１０ｌｏｇ（１／３）ｄＢカプラ、１０ｌｏｇ（１／２）ｄＢカプラを順に縦列接続して、各カプラから対応するＳＡＷフィルタに分配出力し、複数のＳＡＷフィルタの出力側で、１０ｌｏｇ（１／２）ｄＢカプラ、１０ｌｏｇ（１／３）ｄＢカプラ〜１０ｌｏｇ（１／（Ｎ−１））ｄＢカプラ、１０ｌｏｇ（１／Ｎ）ｄＢカプラを順に縦列接続して、各ＳＡＷフィルタからの出力を対応する縦列接続したカプラで合成出力することを特徴とする。
【００２０】
本発明は、上記耐電力用ＳＡＷフィルタ装置において、入力側の縦列接続のカプラが、第１の端子に信号を入力し、第２の端子が対応するＳＡＷフィルタの入力端子に接続し、第３の端子が次段のカプラ若しくは最終段のＳＡＷフィルタの入力端子に接続することを特徴とする。
【００２１】
本発明は、上記耐電力用ＳＡＷフィルタ装置において、出力側の縦列接続のカプラが、第１の端子が第１段のＳＡＷフィルタ若しくは前段のカプラの出力端子接続し、第２の端子が対応するＳＡＷフィルタの出力端子に接続し、第３の端子が次段のカプラの入力端子若しくは最終の出力端子に接続することを特徴とする。
【００２２】
本発明は、上記耐電力用ＳＡＷフィルタ装置において、入力側の縦列接続のカプラ及び出力側の縦列接続のカプラは、第４の端子が抵抗に接続されていることを特徴とする。
【００２３】
本発明は、上記耐電力用ＳＡＷフィルタ装置において、複数のＳＡＷフィルタが同一の特性を有することを特徴とする。
【発明の効果】
【００２４】
本発明によれば、複数のＳＡＷフィルタの入力側で、１０ｌｏｇ（１／Ｎ）ｄＢカプラ、１０ｌｏｇ（１／（Ｎ−１））ｄＢカプラ〜１０ｌｏｇ（１／３）ｄＢカプラ、１０ｌｏｇ（１／２）ｄＢカプラを順に縦列接続して、各カプラから対応するＳＡＷフィルタに分配出力し、複数のＳＡＷフィルタの出力側で、１０ｌｏｇ（１／２）ｄＢカプラ、１０ｌｏｇ（１／３）ｄＢカプラ〜１０ｌｏｇ（１／（Ｎ−１））ｄＢカプラ、１０ｌｏｇ（１／Ｎ）ｄＢカプラを順に縦列接続して、各ＳＡＷフィルタからの出力を対応する縦列接続したカプラで合成出力する耐電力用ＳＡＷフィルタ装置としているので、カプラによってアイソレーションされており、特定のＳＡＷフィルタが壊れても他のＳＡＷフィルタに影響を与えることがなく、安定した出力を得ることができる効果がある。
【図面の簡単な説明】
【００２５】
【図１】本発明の実施の形態に係る耐電力用ＳＡＷフィルタ装置の構成ブロック図である。
【図２】本発明の実施の形態に係る応用例のＳＡＷフィルタ装置の構成ブロック図である。
【図３】従来のＳＡＷフィルタ装置の概略図である。
【図４】従来の具体的なＳＡＷフィルタ装置１の概略図である。
【図５】従来の具体的なＳＡＷフィルタ装置２の概略図である。
【発明を実施するための形態】
【００２６】
本発明の実施の形態について図面を参照しながら説明する。
［実施の形態の概要］
本発明の実施の形態に係る耐電力用ＳＡＷフィルタ装置は、複数のＳＡＷフィルタの入力側では１０ｌｏｇ（１／Ｎ）ｄＢカプラ、１０ｌｏｇ（１／（Ｎ−１））ｄＢカプラ、...、１０ｌｏｇ（１／３）ｄＢカプラ、１０ｌｏｇ（１／２）ｄＢカプラを縦列接続して各ＳＡＷフィルタに分配した電力を供給し、複数のＳＡＷフィルタの出力側では１０ｌｏｇ（１／２）ｄＢカプラ、１０ｌｏｇ（１／３）ｄＢカプラ、...、１０ｌｏｇ（１／（Ｎ−１））ｄＢカプラ、１０ｌｏｇ（１／Ｎ）ｄＢカプラを縦列接続して各ＳＡＷフィルタからの出力を合成して出力電力としているので、各ＳＡＷフィルタは同じ１／Ｎのインピーダンスの特性となり、カプラによってアイソレーションされているため、特定のＳＡＷフィルタが壊れても他のＳＡＷフィルタに影響を与えることがなく、安定した出力を得ることができるものである。
【００２７】
［耐電力用ＳＡＷフィルタ装置：図１］
本発明の実施の形態に係る耐電力用ＳＡＷフィルタ装置について図１を参照しながら説明する。図１は、本発明の実施の形態に係る耐電力用ＳＡＷフィルタ装置の構成ブロック図である。
本発明の実施の形態に係る耐電力用ＳＡＷフィルタ装置（本ＳＡＷフィルタ装置）は、図１に示すように、−４．７ｄＢ（１０×ｌｏｇ（１／３）ｄＢ）カプラ１ａと、−３ｄＢ（１０×ｌｏｇ（１／２）ｄＢ）カプラ１ｂと、ＳＡＷフィルタ２ａと、ＳＡＷフィルタ２ｂと、ＳＡＷフィルタ２ｃと、−３ｄＢ（１０×ｌｏｇ（１／２）ｄＢ）カプラ３ａと、−４．７ｄＢ（１０×ｌｏｇ（１／３）ｄＢ）カプラ３ｂとを基本的に有している。以下では、「１０×ｌｏｇ」を「１０ｌｏｇ」と表記する。
尚、−４．７ｄＢ（１０ｌｏｇ（１／３）ｄＢ）カプラ１ａと−３ｄＢ（１０ｌｏｇ（１／２）ｄＢ）カプラ１ｂが縦列接続され、−３ｄＢ（１０ｌｏｇ（１／２）ｄＢ）カプラ３ａと−４．７ｄＢ（１０ｌｏｇ（１／３）ｄＢ）カプラ３ｂが縦列接続されている。
【００２８】
［本ＳＡＷフィルタ装置の各部］
本ＳＡＷフィルタ装置の各部について説明する。
−４．７ｄＢカプラ１ａは、入力信号として例えば１Ｗの電力が第１の端子に入力されたとすると、ＳＡＷフィルタ２ａに接続する第２の端子（Ａ点）の電力比が分配されて１／３ｄＢとなり、−３ｄＢカプラ１ｂに接続する第３の端子の電力比が２／３ｄＢとなり、第４の端子には抵抗に接続されている。抵抗に接続されることで不要な電流を流すことができる。
【００２９】
−３ｄＢカプラ１ｂは、−４．７ｄＢカプラ１ａに接続する第１の端子の電力比が２／３ｄＢとなり、ＳＡＷフィルタ２ｂに接続する第２の端子（Ｃ点）の電力比が分配されて１／３ｄＢとなり、ＳＡＷフィルタ２ｃに接続する第３の端子の電力比が１／３ｄＢとなり、第４の端子には抵抗に接続されている。
ＳＡＷフィルタ２ａは、入力端子（Ａ点）の電力比が１／３ｄＢで、出力端子（Ｂ点）の電力比が１／３ｄＢであり、Ｚ0 ／３のインピーダンス特性を備えるものである。
【００３０】
ＳＡＷフィルタ２ｂは、入力端子（Ｃ点）の電力比が１／３ｄＢで、出力端子（Ｄ点）の電力比が１／３ｄＢであり、Ｚ0 ／３のインピーダンス特性を備えるものである。
ＳＡＷフィルタ２ｃは、入力端子（Ｃ点）の電力比が１／３ｄＢで、出力端子（Ｄ点）の電力比が１／３ｄＢであり、Ｚ0 ／３のインピーダンス特性を備えるものである。
【００３１】
−３ｄＢカプラ３ａは、ＳＡＷフィルタ２ａの出力端子（Ｂ点）に接続する第１の端子の電力比が１／３ｄＢであり、ＳＡＷフィルタ２ｂの出力端子（Ｄ点）に接続する第２の端子の電力比が１／３ｄＢであり、−４．７ｄＢカプラ３ｂに接続する第３の端子の電力比が合成されて２／３ｄＢとなり、第４の端子に抵抗が接続されている。
【００３２】
−４．７ｄＢカプラ３ｂは、−３ｄＢカプラ３ａに接続する第１の端子の電力比が２／３ｄＢであり、ＳＡＷフィルタ２ｃの出力端子（Ｆ点）に接続する第２の端子の電力比が１／３ｄＢであり、第３の端子の電力比は２／３ｄＢと１／３ｄＢが合成され、出力端子（第３の端子）から１Ｗの電力を出力している。また、第４の端子は抵抗に接続している。
【００３３】
このように、本ＳＡＷフィルタ装置では、−４．７ｄＢカプラ１ａと−３ｄＢカプラ１ｂが縦列接続され、−３ｄＢカプラ３ａと−４．７ｄＢカプラ３ｂが縦列接続され、それら縦列接続の間にＺ0 ／３のＳＡＷフィルタ２ａ，２ｂ，２ｃを配置する構成としているので、カプラのアイソレーションを用いることにより、他のＳＡＷフィルタに影響を及ぼすことがなく、安定した出力が得られる効果がある。
【００３４】
［応用例：図２］
本ＳＡＷフィルタ装置の応用例について図２を参照しながら説明する。図２は、本発明の実施の形態に係る応用例のＳＡＷフィルタ装置の構成ブロック図である。
応用例のＳＡＷフィルタ装置は、図２に示すように、１０ｌｏｇ（１／Ｎ）ｄＢカプラ１Ｎと、１０ｌｏｇ（１／（Ｎ−１））ｄＢカプラ１（Ｎ−１）と、...、−４．７ｄＢ（１０ｌｏｇ（１／３）ｄＢ）カプラ１３と、−３ｄＢ（１０ｌｏｇ（１／２）ｄＢ）カプラ１２と、ＳＡＷフィルタ２１と、ＳＡＷフィルタ２２と、...、ＳＡＷフィルタ２（Ｎ−１）と、ＳＡＷフィルタ２Ｎと、−３ｄＢ（１０ｌｏｇ（１／２）ｄＢ）カプラ３２と、−４．７ｄＢ（１０ｌｏｇ（１／３）ｄＢ）カプラ３３と、...、１０ｌｏｇ（１／（Ｎ−１））ｄＢカプラ３（Ｎ−１）と、１０ｌｏｇ（１／Ｎ）ｄＢカプラ３Ｎとを基本的に有している。
【００３５】
尚、１０ｌｏｇ（１／Ｎ）ｄＢカプラ１Ｎと、１０ｌｏｇ（１／（Ｎ−１））ｄＢカプラ１（Ｎ−１）と、...、−４．７ｄＢカプラ１３と、−３ｄＢカプラ１２が縦列接続され、−３ｄＢカプラ３２と、−４．７ｄＢカプラ３３と、...、１０ｌｏｇ（１／（Ｎ−１））ｄＢカプラ３（Ｎ−１）と、１０ｌｏｇ（１／Ｎ）ｄＢカプラ３Ｎが縦列接続されている。
そして、上記２つのカプラの縦列接続の間に、ＳＡＷフィルタ２１〜２Ｎが配置されている。接続関係は、基本的には図１の接続関係に従っている。
【００３６】
［応用例の各部］
次に、本ＳＡＷフィルタ装置の応用例の各部について説明する。
１０ｌｏｇ（１／Ｎ）ｄＢカプラ１Ｎは、第１の端子から入力信号が入力されたとすると、ＳＡＷフィルタ２１に接続する第２の端子の電力比が分配されて１／ＮｄＢとなり、１０ｌｏｇ（１／（Ｎ−１））ｄＢカプラ１（Ｎ−１）に接続する第３の端子の電力比が（Ｎ−１）／ＮｄＢとなり、第４の端子には抵抗に接続されている。
【００３７】
１０ｌｏｇ（１／（Ｎ−１））ｄＢカプラ１（Ｎ−１）は、１０ｌｏｇ（１／Ｎ）ｄＢカプラ１Ｎに接続する第１の端子の電力比が（Ｎ−１）／ＮｄＢであり、ＳＡＷフィルタ２２に接続する第２の端子の電力比が分配されて１／Ｎ（＝｛（Ｎ−１）／Ｎ｝／（Ｎ−１））ｄＢとなり、１０ｌｏｇ（１／（Ｎ−２））ｄＢカプラ（図示せず）に接続する第３の端子の電力比が（Ｎ−２）／（Ｎ−１）ｄＢとなり、第４の端子には抵抗に接続されている。
【００３８】
ＳＡＷフィルタ２１は、入力端子の電力比が１／ＮｄＢで、出力端子の電力比が１／ＮｄＢであり、Ｚ0 ／Ｎのインピーダンス特性を備えるものである。
ＳＡＷフィルタ２２は、入力端子の電力比が１／ＮｄＢで、出力端子の電力比が１／ＮｄＢであり、Ｚ0 ／Ｎのインピーダンス特性を備えるものである。
【００３９】
−３ｄＢカプラ３２は、ＳＡＷフィルタ２１の出力端子に接続する第１の端子の電力比が１／ＮｄＢであり、ＳＡＷフィルタ２２の出力端子に接続する第２の端子の電力比が１／ＮｄＢであり、−４．７ｄＢカプラ３３に接続する第３の端子の電力比が２／ＮｄＢとなり、第４の端子に抵抗が接続されている。
【００４０】
−４．７ｄＢカプラ３３は、−３ｄＢカプラ３２に接続する第１の端子の電力比が２／ＮｄＢであり、ＳＡＷフィルタ２３（図示せず）の出力端子に接続する第２の端子の電力比が１／ＮｄＢであり、第３の出力端子の電力比は２／ＮｄＢと１／ＮｄＢが合成されて３／ＮｄＢとなっている。また、第４の端子は抵抗に接続している。
【００４１】
そして、−３ｄＢカプラ１２の第１の端子の電力比が上段の−４．７ｄＢカプラ１３から２／ＮｄＢとなり、ＳＡＷフィルタ２（Ｎ−１）に接続する第２の端子の電力比が１／ＮｄＢとなり、ＳＡＷフィルタ２Ｎに接続する第３の端子の電力比が１／ＮｄＢとなり、第４の端子は抵抗に接続している。
ＳＡＷフィルタ２（Ｎ−１）とＳＡＷフィルタ２Ｎは、入力端子の電力比が１／ＮｄＢで、出力端子の電力比が１／ＮｄＢであり、各々Ｚ0 ／Ｎのインピーダンス特性を備えるものである。
【００４２】
１０ｌｏｇ（１／Ｎ）ｄＢカプラ３Ｎは、１０ｌｏｇ（１／（Ｎ−１））ｄＢカプラ３（Ｎ−１）に接続する第１の端子の電力比が（Ｎ−１）／ＮｄＢで、ＳＡＷフィルタ２Ｎに接続する第２の端子の電力比が１／ＮｄＢであるので、合成して出力端子となる第３の端子は１ｄＢとなる。
【００４３】
このように、本ＳＡＷフィルタ装置では、１０ｌｏｇ（１／Ｎ）ｄＢカプラ１Ｎ〜−３ｄＢカプラ１２が縦列接続され、−３ｄＢカプラ３２〜１０ｌｏｇ（１／Ｎ）ｄＢカプラ３Ｎが縦列接続され、それら縦列接続の間にＺ0 ／ＮのＳＡＷフィルタ２１〜２Ｎを配置する構成としているので、カプラのアイソレーションを用いることにより、他のＳＡＷフィルタに影響を及ぼすことがなく、安定した出力が得られる効果がある。
【００４４】
［実施の形態の効果］
本ＳＡＷフィルタ装置によれば、複数のＳＡＷフィルタの入力側では１０ｌｏｇ（１／Ｎ）ｄＢカプラ〜−３ｄＢカプラを縦列接続して各ＳＡＷフィルタに分配した電力を供給し、複数のＳＡＷフィルタの出力側では−３ｄＢカプラ〜１０ｌｏｇ（１／Ｎ）ｄＢカプラを縦列接続して各ＳＡＷフィルタからの出力を合成して出力電力としているので、各ＳＡＷフィルタは１／Ｎのインピーダンスの特性となり、カプラによってアイソレーションされているため、他のＳＡＷフィルタに影響を与えることがなく、安定した出力を得ることができる効果がある。
【産業上の利用可能性】
【００４５】
本発明は、ＳＡＷフィルタの素子間のアイソレーションがとれ、他のフィルタに影響を与えない耐電力用ＳＡＷフィルタ装置に好適である。
【符号の説明】
【００４６】
１ａ，１３...−４．７ｄＢ（１０ｌｏｇ（１／３）ｄＢ）カプラ、  １ｂ，１２...−３ｄＢ（１０ｌｏｇ（１／２）ｄＢ）カプラ、  ２ａ，２ｂ，２ｃ、２１，２２，２Ｎ...ＳＡＷフィルタ、  ３ａ，３２...−３ｄＢ（１０ｌｏｇ（１／２）ｄＢ）カプラ、  ３ｂ，３３...−４．７ｄＢ（１０ｌｏｇ（１／３）ｄＢ）カプラ、  １０...Ｎ分配器、  １０′...２分配器、  ３０...Ｎ合成器、  ３０′...２合成器、  ４１，４２，４３，４４...λ／４インピーダンス変換器
【図１】
2013165347.tif 000003
【図２】
2013165347.tif 000004
【図３】
2013165347.tif 000005
【図４】
2013165347.tif 000006
【図５】
2013165347.tif 000007